(57)【要約】      （修正有）【課題】通気性を高めて着心地を良くし、且つ、丈夫で外観からはメッシュ部分が見え難いデザイン性に優れた通気用メッシュ穴付衣服を提供する。【解決手段】長袖又は半袖の左右両袖の肩よりカフス部分に向けて所定の幅の隙間部を形成し、該隙間部に通気性の良いメッシュ生地を縫着し、通風性を良くした。【選択図】図１
0003108704.tif 000002
【実用新案登録請求の範囲】
【請求項１】
長袖（１）又は半袖（１’）の左右両袖の肩（１ｂ）（１ｂ）・（１’ｂ）（１’ｂ）よりカフス部分（１ｃ）（１ｃ）・（１’ｃ）（１’ｃ）に向けて所定の幅の隙間部を形成し、該隙間部に通気性の良いメッシュ生地（１ａ）（１’ａ）を縫着し、通風性を良くした事を特徴とする通気用メッシュ穴付衣服。
【考案の詳細な説明】
【技術分野】
【０００１】
この考案は、通気性を良くする為に、通気用メッシュ穴を設けた衣服に関するものである。
【背景技術】
【０００２】
従来の衣服はメッシュ穴を使用していないものが多かったが、最近ではメッシュ穴を使用しているものが多く見られる様に成って来た。しかし、袖部に設けられた通気用メッシュ穴は、殆んどの物が、外観から目立たない様に袖の内側や脇部等に設けられたものが多く、見た目には一見涼しそうに見えるが、実際には効果は少なく、逆に擦れ易く破損し易いという欠点がある。
【０００３】
又、背中の後身頃部分の通気性対策に関しては、多種多様のものが市販されているが、大半が後身頃上部の左右に渡って横向き開口部を設けて、その開口部分に通気用メッシュ生地を縫着したものである。
【０００４】
そこで、これまでに考案され衣服の通気性に関する特許文献を紹介する。（特許文献１〜２参照。）
【特許文献１】実開平６−４２９１８
【特許文献２】特開２００３−２３９１０１
【０００５】
上記考案されたものは、メッシュ生地の縫着部が袖の内側や脇部に設けられている為、擦れ易く短期間で破損し易い等の問題がある。
【考案の開示】
【考案が解決しようとする課題】
【０００６】
そこで、この考案は、従来の問題点を解消する為、通気性を高めて着心地を良くし、且つ、丈夫で外観からはメッシュ部分が見え難いデザイン性に優れた通気用メッシュ穴付衣服を開発・提供する事にある。
【課題を解決するための手段】
【０００７】
この課題を解決する為の手段として、長袖又は半袖の左右両袖の肩よりカフス部分に向けて所定の幅の隙間部を形成し、該隙間部に通気性の良いメッシュ生地を縫着し、通風性を良くしたものである。
【考案の効果】
【０００８】
この考案の効果として、長袖又は半袖の左右両袖の肩よりカフス部分に向けて所定の幅の隙間部を形成し、該隙間部に通気性の良いメッシュ生地を縫着する事で、メッシュ生地の縫着部が擦れ難く、且つ、メッシュ生地を流通性の良い場所に変更する事で、丈夫で風や空気の流通性を向上し、衣服内の熱気を放出すると共に、外気を取り込む事が出来、通気性をより効果的なものにし、快適な着用感を得る事が出来る。
【０００９】
又、後身頃部分は外観からはメッシュ部分が見え難くデザイン性に優れている等、極めて有益なる効果を奏するものである。
【考案を実施するための最良の形態】
【００１０】
そこで、この考案の最良の形態は、袖部のメッシュ生地は擦れ難く、且つ、通気性の良い左右両袖の肩よりカフス部分に向けてメッシュ生地を縫着したものである。
【実施例１】
【００１１】
そこで、この考案の一実施例を図１〜図２に基づいて詳述すると、長袖（１）の左右両袖の肩（１ｂ）（１ｂ）よりカフス部分（１ｃ）（１ｃ）に向けて所定の幅の隙間部を形成し、該隙間部に通気性の良いメッシュ生地（１ａ）を縫着し、且つ、後身頃（２）上部左右両端部（２ｂ）より左右両脇下部（２ｃ）に向けて、外見から内部が見えない様、後身頃側を外側にして二枚重ねにした通気用開口部（２ａ）を設け、且つ、該通気用開口部（２ａ）には通気性の良いメッシュ生地（２ａ’）を縫着して通風性を良くした事を特徴とする通気用メッシュ穴付衣服から構成される。
【００１２】
次に、この考案の詳細について説明すると、まず、図１（Ｂ）に示す様に、袖部の通気用メッシュ生地は袖の肩（１ｂ）（１ｂ）よりカフス部分（１ｃ）（１ｃ）に向けて約６ｍｍ幅程度の隙間部を形成し、該隙間部にメッシュ生地を縫着し、又、背中の後身頃部には上部左右両端部（２ｂ）より左右両脇下部（２ｃ）に向けて、外見から内部が見えない様、後身頃側を外側にして二枚重ねにした通気用開口部（２ａ）を設け、且つ、該通気用開口部（２ａ）には、３５ｍｍ幅程度の通気性の良いメッシュ生地（２ａ’）を縫着している。
【００１３】
そして、この考案の特徴は、袖部の通気用メッシュ生地（１ａ）については、擦れ難く、且つ、風や空気の通り易い場所に縫着し、又、背中の後身頃部（２）の通気用メッシュ生地（２ａ）は外見からは内部が見えないで、しかも、風や空気が右から左又は左から右に向けて通り易い構造にしたものである。
【実施例２】
【００１４】
又、その他の事例を図３〜図４に基づいて詳述すると、半袖（１’）の左右両袖の肩（１’ｂ）（１’ｂ）よりカフス部分（１’ｃ）（１’ｃ）に向けて所定の幅の隙間部を形成し、該隙間部に通気性の良いメッシュ生地（１’ａ）を縫着し、且つ、後身頃（２）上部左右両端部（２ｂ）より左右両脇下部（２ｃ）に向けて、外見から内部が見えない様、後身頃側を外側にして二枚重ねにした通気用開口部（２ａ）を設け、且つ、該通気用開口部（２ａ）には通気性の良いメッシュ生地（２ａ’）を縫着して通風性を良くした事を特徴とする通気用メッシュ穴付衣服から構成される。
【００１５】
上記事例（００１４）は、実施例１の長袖の衣服に対して、半袖に替えたものであり、袖の部分以外は全て同一形状に形成されている。
【００１６】
従って、図３（Ｂ）に示す様に、半袖（１’）の部分の通気用メッシュは、左右両袖の肩（１’ｂ）（１’ｂ）よりカフス部分（１’ｃ）（１’ｃ）に向けて所定の幅の隙間部を形成し、該隙間部に通気性の良いメッシュ生地（１’ａ）を縫着したものであり、その他の袖以外の部分は実施例１（長袖用）と同様に形成されている。
【産業上の利用可能性】
【００１７】
この考案は、袖部の通気用メッシュ生地の縫着部が擦れ難い流通性の良い場所に変更する事で、丈夫で風や空気の流通性を向上し、通気性をより効果的なものにした事で衣服業界市場に寄与する点で、産業上の利用可能性を有する。
【図面の簡単な説明】
【００１８】
【図１】この考案の一実施例を示し、（Ａ）は長袖衣服の正面図で、（Ｂ）は背面図である。
【図２】この考案の一実施例を示し、（Ａ）は長袖衣服の右側面図で、（Ｂ）は図１（Ｂ）のａ部拡大詳細図である。
【図３】その他の実施例を示し、（Ａ）は半袖衣服の正面図で、（Ｂ）は背面図である。
【図４】その他の実施例を示し、半袖衣服の右側面図である。
【符号の説明】
【００１９】
１  長袖
１ａ  メッシュ生地
１ｂ  袖の肩
１ｃ  カフス部分
１’   半袖
１’ａ  メッシュ生地
１’ｂ  袖の肩
１’ｃ  カフス部分
２  後身頃
２ａ  通気用開口部
２ａ’  メッシュ生地
２ｂ  後身頃上部左右両端部
２ｃ  左右両脇下部
【図１】
0003108704.tif 000003
【図２】
0003108704.tif 000004
【図３】
0003108704.tif 000005
【図４】
0003108704.tif 000006